(57)【特許請求の範囲】
【請求項１】
熱源機と、熱交換器と、放熱器と、前記熱交換器と前記放熱器とを接続する温水循環路と、前記温水循環路に設けられた圧力安全弁と、前記温水循環路に設けられた循環ポンプと、前記温水循環路に設けられた密閉式膨張タンクと、タイマー部を有する制御部とを備え、前記熱交換器にて前記熱源機と熱交換して加熱された熱流体を前記循環ポンプにて前記放熱器へ循環させる密閉式の温水暖房装置に於いて、前記制御部は温水暖房運転を停止する時、前記循環ポンプの回転数が予め設定した回転停止回転数より高い時は、前記循環ポンプの回転数を所定回転数小さくしてその状態で所定時間回転させる動作を、前記循環ポンプの回転数が前記回転停止回転数以下になるまで繰り返し、前記所定回転数は、前記循環ポンプの回転数を所定回転数小さくしてその状態で所定時間回転させる動作を繰り返す度に大きく設定され、前記循環ポンプの回転数が前記回転停止回転数以下になった時に前記循環ポンプを停止することを特徴とする温水暖房装置。
【発明の詳細な説明】
【技術分野】
【０００１】
この発明は、熱源と熱交換することにより熱流体を加熱して循環させる温水暖房装置に関するものである。
【背景技術】
【０００２】
従来からこの種のものに於いては、熱流体の循環路が密閉されていない開放式及び半密閉式と、熱流体の循環路が密閉されている密閉式とがあった。（特許文献１及び特許文献２参照）
又、浴槽の湯水を循環ポンプにより取り出し循環するふろ循環装置の循環ポンプの停止時の制御として、循環ポンプが運転停止する時、循環ポンプの回転を高速回転からいったん所定の低速回転へ下降後、所定の時間だけ低速回転してから停止させるものがあった。（特許文献３参照）
【先行技術文献】
【特許文献】
【０００３】
【特許文献１】特開平７−２８０２８８号公報
【特許文献２】特開平９−５３８３３号公報
【特許文献３】特開２００１−２４８８９７号公報
【発明の概要】
【発明が解決しようとする課題】
【０００４】
ところでこの従来のものでは、温水暖房装置ではふろ循環装置に比べて高流量が必要であり、そのため循環ポンプの回転数もふろ循環装置に比べて高く設定されている。
そこで例えば施工時のエアー抜き作業が不十分だったり、温水循環路に設置されているエアーセパレータによる熱流体内の混入空気の分離が不十分だったりして、温水循環路内に空気が混入していた場合、温水暖房装置では温水暖房運転中は吐出圧が高いため混入していた空気が圧縮され、その圧縮された分膨張タンクから熱流体が温水循環路内に補充されていた。
【０００５】
この状態で温水暖房運転を終了して循環ポンプが停止すると、圧縮されていた空気が急激に膨張し、温水循環路に設けられている圧力安全弁が作動してしまうこととなり、特許文献３のように循環ポンプの回転を高速回転からいったん所定の低速回転へ下降後、所定の時間だけ低速回転してから停止させただけでは、この圧縮されていた空気が急激に膨張するのを防止することはできなかった。
【課題を解決するための手段】
【０００６】
この発明は上記課題を解決するために、特に請求項１ではその構成を、熱源機と、熱交換器と、放熱器と、前記熱交換器と前記放熱器とを接続する温水循環路と、前記温水循環路に設けられた圧力安全弁と、前記温水循環路に設けられた循環ポンプと、前記温水循環路に設けられた密閉式膨張タンクと、タイマー部を有する制御部とを備え、前記熱交換器にて前記熱源機と熱交換して加熱された熱流体を前記循環ポンプにて前記放熱器へ循環させる密閉式の温水暖房装置に於いて、前記制御部は温水暖房運転を停止する時、前記循環ポンプの回転数が予め設定した回転停止回転数より高い時は、前記循環ポンプの回転数を所定回転数小さくしてその状態で所定時間回転させる動作を、前記循環ポンプの回転数が前記回転停止回転数以下になるまで繰り返し、前記所定回転数は、前記循環ポンプの回転数を所定回転数小さくしてその状態で所定時間回転させる動作を繰り返す度に大きく設定され、前記循環ポンプの回転数が前記回転停止回転数以下になった時に前記循環ポンプを停止するものである。
【発明の効果】
【０００８】
この発明の請求項１によれば、温水暖房運転を停止する時、循環ポンプの回転数が予め設定した回転停止回転数より高い時は、循環ポンプの回転数を所定回転数小さくしてその状態で所定時間回転させる動作を、循環ポンプの回転数が回転停止回転数以下になるまで繰り返し、循環ポンプの回転数が回転停止回転数以下になった時に循環ポンプを停止するので、温水循環路内の圧縮されていた空気が急激に膨張して温水循環路に設けられている圧力安全弁が作動してしまうのを防止できるものである。
【０００９】
また、所定回転数は、循環ポンプの回転数を所定回転数小さくしてその状態で所定時間回転させる動作を繰り返す度に大きく設定されているので、温水循環路内の圧縮されていた空気が一番圧縮されている状態で循環ポンプ７の回転数を小さくすることによる膨張を小さくし、ある程度圧縮されていた空気が膨張したら循環ポンプの回転数を下げる度合いを大きくして、確実に温水循環路内の圧縮されていた空気が急激に膨張して温水循環路に設けられている圧力安全弁が作動してしまうのを防止しつつ、循環ポンプを停止するまでの時間を短くすることができるものである。
【図面の簡単な説明】
【００１０】
【図１】この発明の一実施形態の温水暖房装置の概略構成図。
【図２】同温水暖房運転停止時の循環ポンプ制御のフローチャート図。
【発明を実施するための形態】
【００１１】
次にこの発明の一実施形態の温水暖房装置を図１に基づき説明する。
１は密閉式の温水暖房装置本体で、装置本体１内に燃焼器からなる熱源機２と熱交換器３とを内蔵した缶体４と、該缶体４の上部に設けられ熱交換器３の流入側に接続されている流入バルブ５と、同じく缶体４の上部に設けられ熱交換器３の流出側に接続されている流出バルブ６と、缶体４内で加熱されて流出バルブ６を通過した熱流体を循環させる循環ポンプ７と、該循環ポンプ７の流入側に設けた圧力安全弁８とを内蔵している。
【００１２】
更に装置本体１内には、温水循環路内の圧力を検知して表示する圧力計９と、温水循環路内の熱流体に空気が混入していた場合その空気と熱流体を分離するエアーセパレータ１０と、該エアーセパレータ１０の上部に接続して設けられ分離された空気を温水循環路外へ排出する空気抜き弁１１と、エアーセパレータ１０の下部に接続して設けられその内部はダイアフラム１２により上下に分割され、空気が分離された熱流体をタンク内に溜める密閉式膨張タンク１３とを内蔵し、この装置本体１に外部に設けた放熱器１４を接続して密閉式の温水暖房システムを構成していた。
【００１３】
１５は温水循環路に設けられ充填時に閉じられる充填バルブで、充填バルブ１５の流入側に設けられた接続部１６と流出側に設けられた接続部１７には、熱流体を循環路内に圧送するパワーシスターン（図示せず）を接続するものである。
【００１４】
１８は温水暖房装置本体１を制御する制御部で、時間を計時するタイマー部１９を備えたものである。
【００１５】
次に、温水暖房運転の停止時の作動について説明する。
図２に示すように、まず、温水暖房運転中に（Ｓ１）、運転スイッチ（図示せず）がＯＦＦ操作されると（Ｓ２）、制御部１８は熱源機２を停止して更に循環ポンプ７の回転数Ｎを所定回転数Ａだけ小さくし（Ｓ３）、タイマー部１９で計時して循環ポンプ７をその回転数で所定時間ｔ動作させる。（Ｓ４）
【００１６】
この所定回転数Ａは、循環ポンプ７の回転数Ｎが所定回転数Ａだけ小さくなることにより温水循環路内の圧縮されていた空気は膨張するものの、温水循環路に設けられている圧力安全弁が作動するほど急激に膨張しない回転数で、所定時間ｔ動作させることにより温水循環路内の圧力が安定するものある。
尚、本実施例では温水暖房運転中の循環ポンプ７の回転数Ｎ＝４０００ｒｐｍ、所定回転数Ａ＝５００ｒｐｍ、所定時間ｔ＝１０ｓｅｃとしているものである。
【００１７】
（Ｓ４）で所定時間ｔ経過したら、次に（Ｓ３）で所定回転数ｎだけ小さくした循環ポンプ７の回転数Ｎと回転停止回転数ｎとを比較し（Ｓ５）、回転停止回転数ｎより循環ポンプ７の回転数Ｎが大きければ（Ｓ３）に戻って循環ポンプ７の回転数Ｎを更に所定回転数Ａだけ小さくし、（Ｓ５）で循環ポンプ７の回転数Ｎが回転停止回転数ｎ以下であれば、循環ポンプ７を停止して（Ｓ６）、温水暖房運転を終了するものである。（Ｓ７）
【００１８】
尚、本実施例では回転停止回転数ｎ＝２０００ｒｐｍとしており、この回転停止回転数ｎは、温水暖房運転中の循環ポンプ７の回転数Ｎが複数回所定回転数Ａずつ回転数を小さくしてその回転数で所定時間動作させたことを複数回繰り返したことで温水循環路内の圧縮されていた空気が徐々に膨張し、その回転数で停止しても温水循環路に設けられている圧力安全弁が作動するほど温水循環路内の圧縮されていた空気が膨張しない回転数である。
【００１９】
以上のように温水暖房運転の停止時に、循環ポンプ７の回転数Ｎを回転停止回転数ｎになるまで所定回転数Ａずつ小さくして、循環ポンプ７の回転数Ｎが回転停止回転数ｎより小さくなったら循環ポンプを停止するので、温水循環路内の圧縮されていた空気が急激に膨張して温水循環路に設けられている圧力安全弁が作動してしまうのを防止できるものである。
【００２０】
尚、本実施例では所定回転数Ａを一定値にしていたがこれに限定されず、１回目の所定回転数Ａを小さくして２回目以降の所定回転数Ａを段々大きくして、一番圧縮されている状態の温水循環路内の空気の膨張を小さくして徐々に膨張の度合いを圧力安全弁が作動しないように大きくしてもよいものである。
【００２１】
それにより温水循環路内の圧縮されていた空気が一番圧縮されている状態で循環ポンプ７の回転数Ｎを小さくすることによる膨張を小さくし、ある程度圧縮されていた空気が膨張したら循環ポンプ７の回転数Ｎを下げる度合いを大きくするので、確実に温水循環路内の圧縮されていた空気が急激に膨張して温水循環路に設けられている圧力安全弁が作動してしまうのを防止しつつ、循環ポンプ７を停止するまでの時間を短くすることができるものである。
【符号の説明】
【００２２】
２  熱源機
３  熱交換器
７  循環ポンプ
８  圧力安全弁
１８  制御部
１９  タイマー部
【図１】
0005841858.tif 000002
【図２】
0005841858.tif 000003